(57)【特許請求の範囲】
【請求項１】
保護継電装置のヒューマンインターフェース（ＨＩ）であって、ローカルＨＩ側で設定された階層構成の複数のメインメニューに関連するデータをリモートＨＩへ伝送し、リモートＨＩ側で、ローカルＨＩ側でのメインメニューの一部を削除して画面表示するものにおいて、
前記ローカルＨＩ側で設定されたメインメニューデータに関連するローカルＨＩデータファイルと、リモートＨＩ側で削除されるデータに変換するローカル／リモート変換ルールファイルを予め作成すると共に、前記ローカルＨＩデータファイルとローカル／リモート変換ルールファイルからリモートＨＩデータファイルを自動的に生成するリモートＨＩの自動生成システムを設け、
リモートＨＩの自動生成システムは、
前記ローカルＨＩデータファイルに記載されたメインメニューの削除項目に該当するローカル／リモート変換ルールかを判断し、該当するローカル／リモート変換ルールとローカルＨＩデータを読み込んで削除項目のローカルＨＩデータファイル終了までローカル／リモート変換ルールに従ってデータ変換するデータ変換手段と、
データ変換手段により変換したデータをリモートＨＩデータファイルに書き出す書き出し手段と、を備え、
前記ローカル／リモート変換ルールは、文字列で記述され、前記ローカルＨＩデータファイルに記載されたメインメニューの削除項目中の、削除する行を指定するデータを含んでいる、
ことを特徴としたディジタル型保護継電装置のリモートＨＩ自動生成システム。
【請求項２】
前記データ変換手段によるローカルＨＩデータの読み込みは、ローカルＨＩデータファイルに記載された１行分であり、前記書き出し手段によるリモートＨＩへの書き出しはリモートＨＩデータファイルに１行書き出すことを特徴とした請求項１記載のディジタル型保護継電装置のリモートＨＩ自動生成システム。
【発明の詳細な説明】
【技術分野】
【０００１】
本発明は、ディジタル型保護継電装置に係わり、特にリモートヒューマンインタフェース（以下ＨＩという）の自動生成システムに関するものである。
【背景技術】
【０００２】
電力系統の保護・制御システムに用いられるディジタルリレーは、マイクロコンピュータ技術の採用によって、保護機能、制御機能が従来にない機能が実現され、また、精度、信頼度も大幅に向上している。その機能の一つにＨＩがあり、ディジタルリレーに要求されている操作の容易性、情報量の拡大と視認性の向上、及び運用者に対する確実な情報伝達などの機能を有して活用されている。
【０００３】
ディジタルリレーのＨＩは、通常のローカルＨＩデータの他に、遠隔運用のためのリモートＨＩを備えている。ローカルＨＩとリモートＨＩは基本的な画面構成は共通しているが、リモートＨＩ側についてはセキュリティなどの問題により基本的な表示のみを行う構成となっている。したがって、ローカルＨＩとリモートＨＩとは、本来のアプリケーションプログラムを変更することなく画面構成されている。
【０００４】
なお、本来のアプリケーションプログラムを変更することなく多様な画面インターフェースに変換するものとしては、特許文献１などが公知となっている。
【先行技術文献】
【特許文献】
【０００５】
【特許文献１】特開平１０−８３２６９
【発明の概要】
【発明が解決しようとする課題】
【０００６】
特許文献１は、既存のアプリケーションから画面情報を抽出し、指定した注目点の情報に対して変換を行うことで、既存のアプリケーションプログラムを変更せずに、本来の画面情報から必要な情報だけを抽出して自動的に変換画面を抽出するものである。
【０００７】
ディジタルリレーにおけるローカルＨＩとリモートＨＩは、基本的な画面構成は共通に構成されているが、リモートＨＩ側ではユーザー（電力会社）で決まる固有の仕様が存在し、各ユーザーでセキュリティなどの問題が生じないよう対策を講じている。
【０００８】
一般に、ＨＩのソフトウエア構成は階層構成となっており、表示部はローカルＨＩとリモートＨＩは全く同じ構成となっているが、ＨＩの試験中やユーザーによる仕様変更など何等かの理由によってリモートＨＩの画面表示に変更が生じた場合、ユーザー毎の仕様に対応しなければならずリモートＨＩの作成及び試験工数の増加や製作時のヒューマンエラーによる危険性を有している。
【０００９】
本発明が目的とするとこは、ローカルＨＩ用のデータからリモートＨＩ用のデータを自動生成するディジタル型保護継電装置のリモートＨＩ自動生成システムを提供することにある。
【課題を解決するための手段】
【００１０】
本発明は、保護継電装置のヒューマンインターフェース（ＨＩ）であって、ローカルＨＩ側で設定された階層構成の複数のメインメニューに関連するデータをリモートＨＩへ伝送し、リモートＨＩ側で、ローカルＨＩ側でのメインメニューの一部を削除して画面表示するものにおいて、
前記ローカルＨＩ側で設定されたメインメニューデータに関連するローカルＨＩデータファイルと、リモートＨＩ側で削除されるデータに変換するローカル／リモート変換ルールファイルを予め作成すると共に、前記ローカルＨＩデータファイルとローカル／リモート変換ルールファイルからリモートＨＩデータファイルを自動的に生成するリモートＨＩの自動生成システムを設け、
リモートＨＩの自動生成システムは、
前記ローカルＨＩデータファイルに記載されたメインメニューの削除項目に該当するローカル／リモート変換ルールかを判断し、該当するローカル／リモート変換ルールとローカルＨＩデータを読み込んで削除項目のローカルＨＩデータファイル終了までローカル／リモート変換ルールに従ってデータ変換するデータ変換手段と、
データ変換手段により変換したデータをリモートＨＩデータファイルに書き出す書き出し手段と、を備え、
前記ローカル／リモート変換ルールは、文字列で記述され、前記ローカルＨＩデータファイルに記載されたメインメニューの削除項目中の、削除する行を指定するデータを含んでいる、
ことを特徴としたものである。
【００１１】
また、本発明は、前記データ変換手段によるローカルＨＩデータの読み込みを、ローカルＨＩデータファイルに記載された１行分とし、前記書き出し手段によるリモートＨＩへの書き出しはリモートＨＩデータファイルに１行書き出すことを特徴としたものである。
【発明の効果】
【００１２】
以上のとおり、本発明によれば、ユーザー毎にローカル／リモート変換ルールを用意し、ローカルＨＩ用のデータからリモートＨＩ用のデータが自動生成されるので、リモートＨＩの作成、及び試験工数の削減が可能となるものである。また、ユーザーによるリモートＨＩの変更要請時には、ローカル／リモート変換ルールを変更することで、迅速且つ柔軟な対応が可能となるものである。
【図面の簡単な説明】
【００１３】
【図１】本発明の実施形態を示すＨＩデータ図で、（ａ）はローカルＨＩ、（ｂ）は削除データ、（ｃ）はローカル／リモート変換ルールデータ。
【図２】本発明のリモートＨＩの自動生成の概略図。
【図３】本発明のリモートＨＩデータファイル作成フローチャート。
【図４】ローカルＨＩの画面図。
【図５】リモートＨＩの画面図。
【図６】ＨＩの画面構成図。
【図７】メインメニュー整定時のローカルＨＩ画面図。
【図８】整定操作のフローチャート。
【図９】メインメニュー整定結果のリモートＨＩ画面図。
【発明を実施するための形態】
【００１４】
図４は、本発明の実施例を示す保護継電装置のローカルＨＩの画面例を示したものであり、また、図５はリモートＨＩの画面例を示したものである。図４で示す画面例では、メインメニューとして整定、自動点検、試験制御、補助設定、現在運用状態、異常内容、動作内容、及び装置概要の８メニューとなっている。これに対し、図５で示すリモートＨＩの画面例では、試験制御、補助設定、及び装置概要が表示されない（リモートＨＩでは機能実行不可能とされる）ユーザー固有の仕様となって、セキュリティ上の問題が生じないよう基本的な表示のみを行うようになっている。
【００１５】
図６はＨＩの画面構成図で、メインメニュー画面には図４で示した８メニューとされ、メインメニュー画面（自動点検と現在運用状態メニューを除き）に連動するリモート時メインメニュー画面、サブメニュー画面、及びリーフ画面／サブリーフ画面が関連付けされ、メインメニューだけでなく画面の詳細部についてもリモートＨＩを変更したい場合に備えて階層状に構成されている。なお、自動点検と現在運用状態メニューについては直接にリーフ画面／サブリーフ画面が関連付けられている。
【００１６】
図７は、ローカルＨＩ画面を示したもので、例としてメインメニュー整定のリーフ画面／サブリーフ画面を示したものである。この画面例は、ＰＣＭ電流差動保護継電装置の整定範囲やタップ、倍率等と共に、整定のためのテンキーなどの入力手段が表示される。
【００１７】
整定に当たっては、図８で示す整定操作のフローチャートに基づいて実施される。先ず、入力手段に設けられた整定開始のタッチスイッチをオンした後に、８７Ｓタップや８７Ｓ倍率等のリレー要素を選択し、テンキーによって当該リレーの電流値や比率を整定し、書込みスイッチをオンする。このリレー要素を選択から書込みの手順をリレー要素全体の整定完了まで繰返して行い、終了した場合には整定運用開始スイッチをオンする。
【００１８】
図８で整定された画面データはリモート側に伝送され、整定結果は図９で示すようなリモートＨＩ画面として表示される。図９の例では、図７の右側に表示される入力手段が削除されおり、リモート側での整定値の変更操作が出来ないようになっている。
【００１９】
上記のようなＨＩ画面は専用のホームページ作成ソフト（作画ツール）で作成され、また、画面構成は階層構造となって且つ画面も多岐に渡って画面数も多くなっているが、図４と図５及び図７と図９での比較で明らかなようにリモートＨＩ用以外の表示部（画面）は、ローカルＨＩとリモートＨＩとは全く同じとなって同時に作成できるが、しかし、リモートＨＩ側では各ユーザー固有の仕様が組み込まれる。
【００２０】
一方、機種の新規開発時における試験中の不具合や改良、及びユーザー指示によるＨＩ表示の変更などの理由により画面表示に変更が生じる場合がある。
このような場合でも、ソフトの作成、試験工数の削減及びリモートＨＩ側でのユーザー固有の仕様組込み忘れを防止等の対策を講じる必要がある。
【００２１】
本発明はこのような要求に対応するために、以下のようにリモートＨＩを自動生成する。
図１（ａ）はローカルＨＩのデータを示したもので、このデータは図４に対応したローカルＨＩのメインメニュー分のデータが全て記載される。データファイルの構成としては、１行毎にメインメニュー部、部品番号、座標（位置情報）、枠（部品枠）及びフォントの順に記載される。
【００２２】
図４に対応したローカルＨＩデータに対し、図５に対応するリモートＨＩデータとするためには、試験制御、補助設定、及び装置概要の各データを図１で示すローカルＨＩデータファイルから削除する操作が必要になる。削除する試験制御、補助設定、及び装置概要の各データは、図１（ｂ）のように作成されて削除される。
図１（ａ）で示すローカルＨＩデータファイルから、リモートＨＩデータファイルに変換するために、予め図１（ｃ）で示すようなローカル／リモート変換ルールファイルが作成される。
【００２３】
図２はリモートＨＩの自動生成システムの概略を示したもので、１はパソコンなどにより構成されるリモートＨＩの自動生成システム、２はローカルＨＩデータファイル、３はローカル／リモート変換ルールファイル、４はリモートＨＩデータファイルである。リモートＨＩの自動生成システム１は、ローカルＨＩデータファイル２とローカル／リモート変換ルールファイル３を読み込み、ローカル／リモート変換ルールに基づいて図１（ｂ）で示したデータの削除されたリモートＨＩデータファイル４を生成する。なお、リモートＨＩに変更があった場合には、ローカル／リモート変換ルールを変更することで対応が可能となる。
【００２４】
図３はリモートＨＩの自動生成システムによるリモートＨＩデータファイル作成のフローチャートである。ステップＳ１では、読み込んだデータから試験制御、補助設定、装置概要データのうち、使用するローカル／リモート変換ルールを判定し、そのローカル／リモート変換ルールをステップＳ２で読み込む。このとき、変換ルールのファイル名が設定されており、その設定された変換ルールが使用されるが、変換ルールのファイル名の設定がない場合には実行フォルダ名から自動認識する。製作環境のフォルダは任意の表現で、例えば二番目の階層から判定される。
【００２５】
ステップＳ３では該当するローカルＨＩデータの１行分を読み込み、ステップＳ５で変換ルールに従って削除や部品番号の変換などを行う。変換したデータは、ステップＳ６でリモートＨＩデータファイルに１行書き出してステップＳ３に戻り、次のローカルＨＩデータの１行分を読み込み、以下同様にして削除されるデータの書き換えが終了するステップＳ４まで変換動作を継続する。
【００２６】
したがって、本発明によれば、ユーザー毎にローカル／リモート変換ルールを用意し、ローカルＨＩ用のデータからリモートＨＩ用のデータが自動生成されるので、リモートＨＩの作成、及び試験工数の削減が可能となるものである。また、ユーザーによるリモートＨＩの変更要請時には、ローカル／リモート変換ルールを変更することで、迅速且つ柔軟な対応が可能となるものである。
【符号の説明】
【００２７】
１…  リモートＨＩの自動生成システム
２…  ローカルＨＩデータファイル
３…  ローカル／リモート変換ルールファイル
４…  リモートＨＩデータファイル
【図１】
0006390327.tif 000002
【図２】
0006390327.tif 000003
【図３】
0006390327.tif 000004
【図４】
0006390327.tif 000005
【図５】
0006390327.tif 000006
【図６】
0006390327.tif 000007
【図７】
0006390327.tif 000008
【図８】
0006390327.tif 000009
【図９】
0006390327.tif 000010